(57)【特許請求の範囲】
【請求項１】
負荷電高湿度活性空気に処理ガス中の臭気成分を同伴させ、
空気力輸送しつつ臭気成分に好気性微生物を作用させる脱臭方法であって、
負荷電高湿度活性空気は、臭気成分を含む処理ガス中に噴射した水の分裂により発生した微細水滴を含む多湿の気体であり、好気性微生物の活動に必要な空気を供給し、
活性空気に含まれる微細水滴は、気体の運動エネルギーを得て活性化され、臭気成分を捕捉し、空気力輸送中に凝集し、凝集水中に臭気成分をとり込んで好気性微生物に接触させるとともに好気性微生物の活動に必要な水分を供給するものであり、微細水滴の活性化は、気体の旋回運動による遠心力とコリオリ力を作用させて臭気成分の空気力輸送中に行われるものであることを特徴とする脱臭方法。
【請求項２】
負荷電高湿度活性空気は、負イオンを含み、
負イオンは、好気性微生物を活性化させ、好気性微生物の活動に活性を与えるものであることを特徴とする請求項１に記載の脱臭方法。
【請求項３】
負荷電高湿度活性空気発生装置と、生物処理装置との組合せを有する脱臭装置であって、
負荷電高湿度活性空気発生装置は、外部から吸引した臭気成分を含む処理ガス中で水を分裂させて微細水滴を含む負荷電高湿度活性空気を発生させ、発生した負荷電高湿度活性空気を生物処理装置内へ圧送するものであり、
発生した負荷電高湿度活性空気は、臭気成分を含む処理ガス中に噴射した水の分裂により発生した微細水滴を含む多湿の気体であり、
活性空気に含まれる微細水滴は、気体の運動エネルギーを得て活性化され、臭気成分を捕捉し、空気力輸送中に凝集し、凝集水中に臭気成分をとり込んで好気性微生物に接触させるとともに好気性微生物の活動に必要な水分を供給するものであり、微細水滴の活性化は、気体の旋回運動による遠心力とコリオリ力を作用させて臭気成分の空気力輸送中に行われるものであり、
生物処理装置は、脱臭用微生物を担持させた充填材を有し、負荷電高湿度活性空気とともに導入された臭気成分を充填材に接触させて臭気成分を分解する環境条件を形成し、臭気成分が除去されたガスを系外へ排気するものであることを特徴とする脱臭装置。
【発明の詳細な説明】
【０００１】
【産業上の利用分野】
本発明は、各種有機物から発する臭気成分を除去する方法とその装置に関する。
【０００２】
【従来の技術】
し尿処理設備、畜産農業処理設備、下水などから発生する臭気成分を含むガスの処理には、従来より主として化学的中和処理法、燃焼法、吸着法が用いられてきたが、最近では臭気ガス中の悪臭成分に微生物による分解作用を利用する生物脱臭方法に注目されるようになってきた。生物脱臭方法は、要するに脱臭用微生物を担持させた充填材に臭気ガスを通過させるとともに臭気ガス中の臭気成分を水に溶解させ、溶解した臭気成分を脱臭用微生物にエネルギーとして摂取させることによって分解除去しようというものである。生物脱臭装置は、例えば特開平４−３３０９１５号公報に紹介されている。特開平４−３３０９１５号公報に記載された脱臭装置は、底部にガス導入部、頂部にガス導出部を設けた塔内に、脱臭用微生物を固定した充填材を充填し、該充填材の上部に散水器を設置し、塔下部に循環水路を形成し、該循環水路中に腐植質抽出塔を配備したというものである。この装置によるときには、充填材に固定化された脱臭用微生物は、散水される循環水中に溶解された栄養分等によって運転中常に活性化され増殖し、同時にこの循環水によって微生物分解成分が排除され、脱臭効率が高く、低圧力損失で長時間安定した運転が可能になる、という効果が強調されている。
【０００３】
【発明が解決しようとする課題】
生物脱臭法によるときには、臭気成分の分解の過程で水分は重要な働きをしている。一般に水分が少ないところでは微生物の活動は衰え、また、栄養素は水溶液の状態で生物に吸収されるので、水分がない状態では栄養素を摂取できない。
【０００４】
一方、臭気成分の分解は、微生物の好気性分解によって行われるものであるため、分解のためには十分な酸素（空気）の供給が必要である。酸素の供給が不十分であると嫌気性となり、悪臭の発生原因となる。このように好気性微生物の分解作用を利用する系内では通気性と保水性という矛盾する物理的条件を満たさなければならない。
【０００５】
前述の先行例のように、臭気ガスを充填材層中を上昇させる間にガス中の臭気成分を上方から散布される散布水中に溶解させるとともに前記脱臭用微生物の作用により分解、脱臭する方法によれば、充填材の団粒構造に通気性を保ちつつ散水量を適正に制御しなければならず、また、この方法では特開平６−３２７９３０号公報に指摘されているように臭気成分によっては散布水中への溶解が不十分であり、脱臭効果は必ずしも十分であるとは言い難いという問題を生ずる。また、脱臭用微生物の活性化について、先の先行例では、循環水中に溶解された栄養分などによって脱臭用微生物が活性化されるというのであるが、脱臭用微生物の活性化の本来の意味は、脱臭用微生物が溶解した臭気成分を栄養として取り込む能力が高いということでなければならない。脱臭用微生物を活性化するためには活動に適正な環境を微生物に与えることであって、脱臭用微生物の活性が低下したときには、散水中に栄養分が溶解していてもこれを十分に分解できるかどうかは保証の限りではない。
【０００６】
本発明の目的は、臭気成分を捕捉しうる活性化された微細水滴を含む負荷電高湿度活性空気を用いて生物処理を有効に行う方法とその装置を提供することにある。
【０００７】
【課題を解決するための手段】
上記目的を達成するため、本発明による脱臭方法においては、負荷電高湿度活性空気に処理ガス中の臭気成分を同伴させ、
空気力輸送しつつ臭気成分に好気性微生物を作用させる脱臭方法であって、
負荷電高湿度活性空気は、臭気成分を含む処理ガス中に噴射した水の分裂により発生した微細水滴を含む多湿の気体であり、好気性微生物の活動に必要な空気を供給し、
活性空気に含まれる微細水滴は、気体の運動エネルギーを得て活性化され、臭気成分を捕捉し、空気力輸送中に凝集し、凝集水中に臭気成分をとり込んで好気性微生物に接触させるとともに好気性微生物の活動に必要な水分を供給するものであり、微細水滴の活性化は、気体の旋回運動による遠心力とコリオリ力を作用させて臭気成分の空気力輸送中に行われるものである。
また、負荷電高湿度活性空気は、負イオンを含み、
負イオンは、好気性微生物を活性化させ、好気性微生物の活動に活性を与えるものである
【００１３】
また、本発明による脱臭装置においては、負荷電高湿度活性空気発生装置と、生物処理装置との組合せを有する脱臭装置であって、
負荷電高湿度活性空気発生装置は、外部から吸引した臭気成分を含む処理ガス中で水を分裂させて微細水滴を含む負荷電高湿度活性空気を発生させ、発生した負荷電高湿度活性空気を生物処理装置内へ圧送するものであり、
発生した負荷電高湿度活性空気は、臭気成分を含む処理ガス中に噴射した水の分裂により発生した微細水滴を含む多湿の気体であり、
活性空気に含まれる微細水滴は、気体の運動エネルギーを得て活性化され、臭気成分を捕捉し、空気力輸送中に凝集し、凝集水中に臭気成分をとり込んで好気性微生物に接触させるとともに好気性微生物の活動に必要な水分を供給するものであり、微細水滴の活性化は、気体の旋回運動による遠心力とコリオリ力を作用させて臭気成分の空気力輸送中に行われるものであり、
生物処理装置は、脱臭用微生物を担持させた充填材を有し、負荷電高湿度活性空気とともに導入された臭気成分を充填材に接触させて臭気成分を分解する環境条件を形成し、臭気成分が除去されたガスを系外へ排気するものである。
【００１５】
【作用】
臭気ガス中に含まれる臭気成分は、環境庁告示第９号によれば、
１）  アンモニア
２）  メチルメルカプタン、硫化水素、硫化メチル、二硫化メチル
３）  トリメチルアミン
４）  アセトアルデヒド
５）  スチレン
６）  プロピオン酸、ノルマル酪酸、ノルマル吉草酸、イソ吉草酸
に分類され、その他、汚泥中に発生する臭気成分として、
１）インドール、スカトール（し尿汚泥）
などがある。これらはいずれも生物処理によって脱臭が可能である。処理ガス中の臭気成分には水に溶解する可溶成分と不溶成分とが含まれ、その一部は前段の水吸着処理によって除去される。水吸着処理にて除去されなかった臭気成分は、水吸着処理によって発生した負荷電高湿度活性空気に同伴して生物処理装置内へ搬送され、脱臭塔内の微生物により分解処理される。
【００１６】
水吸着処理においては、水の分裂によって発生させた微細な水滴を処理ガス中に撹拌混合させると、水可溶性の臭気成分は、水滴に捕捉され、その擬集水中に取り込まれ、処理ガス中より除去される。空気力輸送管内で処理ガスに旋回流を生じさせ、その旋回流中で水を分裂させると、処理ガスの旋回によって生じた遠心力作用で水滴は空気力輸送管の内壁に圧し付けられて水膜を形成し、水滴に捕捉された臭気成分及び不水溶性の成分、処理ガス中の塵埃や細菌、ウイルスなどが水膜に取り込まれて処理ガス中より除去される。これらは水に付着すると、水が蒸発しない限り再び水から飛び出すことができない。
【００１７】
一方、水滴が空気中で分裂するときに付近の空気中に負イオンが発生し、水滴は負イオンと等量の正電荷を得る現象は、いわゆるレナード効果（滝効果）、シンプソン効果（水滴分裂説）として古くから知られ、レナード効果、シンプソン効果により発生した負イオンには、除塵効果、除菌効果、脱臭及びガス成分除去のほか、動植物の育成に好影響を及ぼすことがわかっている。
【００１８】
さらに、水は、分裂の際に外部からエネルギーを獲得してその構造化が進み、蒸気圧が上昇し、表面張力が減少し、粘性率が低下するものと考えられる。水の構造化が進むことは、クラスターの小さい水になることであり、活性の高い水である。図１は、水を旋回気流中で人工的に微細水滴に分裂させて得られた多湿空気中の水クラスターの質量スペクトラムを示している。比較のため図２に大気（相対湿度６２％，温度２４℃）中の水クラスターの質量スペクトラムを示す。両図を比較して明らかなとおり、大気中の水クラスターは、構成分子数ｎ＝２１、質量数ｍ／ｚ３７９を中心に分布しているのに対し、旋回気流中で水を分裂させた微細水滴を含む多湿空気中の水クラスターは、質量数ｍ／ｚ２００を中心とする構成分子数はより少なくなることを示している。これは、力学的エネルギーが与えられてエネルギーレベルが上がると、水のクラスターの構成分子数は、より少なくなるということを示すものである。もっとも、図１に示す水のクラスターの構成分子数の分布は、自然界に生成されることもあり得るが、任意に得られるものではなく、また、自然界に得られた水クラスターが活性を有するかどうかは不明である。
【００１９】
負荷電高湿度活性空気は、高多湿であり、負イオンを含み、微細水滴の水クラスターは活性が高い。負荷電高多湿度活性空気に含まれるクラスターの小さい水は、活性が高いため、ガス中の臭気成分を捕捉して同伴し、処理ガスとして生物処理装置に送気される。生物処理装置の脱臭塔内には、脱臭用微生物を固定化した充填材が充填され、処理ガスは充填材の層中を通過し、脱臭用微生物の活動に必要な空気と水分を供給し、臭気成分は充填材に固定化された脱臭用微生物の分解作用を受けて無臭化される。
【００２０】
充填材は、担持体に好気性の脱臭用微生物を固定化したものである。担持体には、「おがくず」にミネラル成分及び栄養物として大豆油を加え、これをコンポスト化処理して微生物を培養する。
【００２１】
一般に土壌の団粒構造に対する微生物（細菌）の分布状況に関しては、団粒の内部と外側とでは住んでいる細菌の種類にかなりの違いがあり、乾燥に弱い型の細菌（グラム陰性細菌）は水分が多い団粒の内側に多く、団粒の表面には乾燥に強い細菌（グラム陽性細菌）の仲間が多い（最新リサイクル技術の実際  持田徳治著  オーム社  １９９３年，ｐ１６２参照）。上記コンポスト化処理の環境条件を設定して担持体にバチルスを高濃度に増殖するのが望ましい。
【００２２】
バチルスは、一般用語として桿菌のことを、または細菌全体のことを指す場合があるが、バチルス科（Ｂａｃｉｌａｃｃａｃ）、Ｂａｃｉｌｌｕｓ属の細菌で好気性又は通性嫌気性の桿菌で通常グラム陽性である。環境の条件によっては、菌体内に構造的変化を生じ、前胞子（ｆｏｒｅｓｐｏｒｅ）の段階を経て完成した１個の胞子（芽胞）を形成する。
【００２３】
バチルスのし尿処理能に関し、村上らが消化槽内で高濃度（９２〜９８％）に培養されたバチルスが、し尿の可溶性ＢＯＤ成分の資化と不溶性ＢＯＤ成分の可溶化、資化を行って、し尿の浄化に最も貢献していることを確かめてこれを報告している。村上らの報告によれば、伊那中央衛生センターのし尿処理場の消化層、沈澱層から検出したコロニーから最終的に３５株の細菌類と２株の酵母を単離し、現われたコロニーの内、９２〜９８％はコロニー出現２日後に内性胞子を形成する桿菌であり、これがＢａｃｉｌｌｕｓ  Ｓｐｐ．であったことを確かめている。
村上らによって確認された単離菌株の内訳を表１に示し、それらの臭気成分・脱窒能に関する化学的性質と、増殖速度を表２に示す。また、澱粉，蛋白質，脂肪分解性についての化学的性質を表３に示す。
【００２４】
【表１】
0003612782.tif 000002
【００２５】
【表２】
0003612782.tif 000003
【００２６】
【表３】
0003612782.tif 000004
【００２７】
（日本水環境学会誌第１８巻、第２号、Ｐ９７〜Ｐ１０８（１９９５）参照）。前段の水吸着処理によって処理しきれなかった処理ガス中の臭気成分は、負荷電高湿度活性空気に同伴して生物処理装置の脱臭塔内に流入し、充填材に接触して生物処理されるが、負荷電高湿度活性空気中に含まれる水クラスターは、構造化が進んだ状態にあり、表面張力、粘性率が小さいために、水可溶性、水不溶性にかかわらず処理ガス中の臭気成分を捕捉して充填材に付着する。構造化の進んだ水は、バルク水に比べかなり自由を失った状態にあり、蒸気圧はバルク水より高くなって蒸発しにくいが、負荷電高湿度活性空気は、関係湿度が常に１００％近い状態で供給されるため、好気性微生物（細菌）、特にバチルスの活動は衰えない。負荷電高湿度活性空気中に含まれる負イオンの作用については必ずしも明らかではないが、森林地帯の空気中には圧倒的多量の負イオンが含まれている。肥沃な森林では、有機物のコンポスト化が自然に行われて土壌に戻すリサイクルが完全に行われるから、空気中の負イオンは、有機物の好気性分解を含めてあらゆる生命活動に活性を与えるものと考えられる。
【００２８】
【実施例】
以下、本発明の実施例を図によって説明する。本発明装置は、水吸着処理装置１と、生物処理装置２との組合せからなるものである。
【００２９】
水吸着処理装置１は、負荷電高湿度活性空気発生装置３であり、高速気流発生装置４が付設されている。
【００３０】
負荷電高湿度活性空気発生装置３は、吸気口５、吸液口６、送気口７を有し、吸気口５に高速気流発生装置４が接続されて臭気成分を含む処理ガスが吸い込まれ、送気口７に生物処理装置２の脱臭塔８が接続され、臭気成分を伴った負荷電高湿度活性空気が送気口７より脱臭塔８内へ送気される。
【００３１】
負荷電高湿度活性空気発生装置３は、気体の旋回流中で噴射水を微細水滴に分裂させて旋回気流中に負イオンを発生させるとともに水の活性化を図るものであり、実施例においては、空気力輸送管９内に水噴射用のノズル配管１０を設置したものである。実施例において、空気力輸送管９を内外２重構造とし、空気力輸送管９の外筒１１内には、その軸心と同心上に内筒１２を内装し、空気力輸送管９内には、外筒１１の端部から内筒１２に通ずる折り返し流路１３を形成して空気の輸送距離を増大させている。外筒１１は、その外端の吸気口６が高速気流発生装置４に接続され、内筒１２はその一端が外筒１１の内端内に開口し、他端の送気口７を脱臭塔８に接続している。ノズル配管１０は、内筒１２の周上に配管され、外筒１１の下周面は、給液口６を有する水槽１４が付設されている。また、内筒１２内には、軸方向に沿って図４に示すスクリューガイド１５を配設している。水槽１４内の水は、ポンプ１６で汲み上げてノズル配管１０に送水される。ノズル配管１０には、その軸心に沿って要所に開口されたノズル１７を有し、ノズル１７からは空気力輸送管９内に水が噴出される。
【００３２】
スクリューガイド１５は、図４に示すように空気力輸送管９内に流入した気流を誘導して管軸方向をスパイラル状に旋回させるものである。実施例ではコリオリ力が地球自転の角速度ベクトル方向を向くように気流の旋回方向の向きを規定している。
【００３３】
高速気流発生装置４は、送風用のファンである。実施例においては、し尿処理装置などの消化槽１８から発する臭気ガスを処理ガスとして吸引し、空気力輸送管９の外筒１１内に、吸気口５を通して送風する。
【００３４】
なお、外筒１１内には必ずしもスクリューガイドは必要ではないが、内筒１２内には必ずスクリューガイド１５を入口側から一定の範囲にわたって好ましくは１周以上螺旋状に設けておくことが望ましい。
【００３５】
高速気流発生装置４の運転により吸引された処理ガスは空気力輸送管９の外筒１１内に接線方向から導入され、旋回しつつ軸方向を流動し、外筒１１の内端で折返して内筒１２内に導入され、内筒１２内のスクリューガイド１５に誘導されて強力に旋回しつつ脱臭塔８内に導入される。一方、水は気体の旋回流中に高圧で噴出し、微細水滴に分裂して活性化され、空気中に負イオンが発生する。
【００３６】
生物処理装置２は、脱臭塔８内に脱臭用微生物を担持させるべき充填材１９を設置したものである。脱臭塔８は、下部に負荷電高湿度活性空気の吸込口２０を有し、上端に排気口２１を開口したものである。脱臭塔８内は、拡散室２２と多段の棚で仕切られた処理室２３とを有し、処理室２３内の各棚の多孔板２４上にはマット状に保型された充填材１９がセットされている。充填材１９には、おがくずにミネラル成分及び大豆油を加え、これをコンポスト化してマット状に加工し、当初例えば活性汚泥をこれに付着させたものを用いる。
【００３７】
本発明においては、充填材１９上には格別に散水する必要はない。好気性微生物の活動に最適な含水率は４０〜６０％と言われている。この程度の水分は、負電荷高湿度活性空気中に含まれた水分によって十分に対応できる。充填材の含水率が４０〜６０％より少ないと微生物が活動しにくくなり、分解が遅くなる。逆に水が過剰な場合には、充填材の隙間に水が充満した状態となり、酸素が十分浸透しなくなるため、好気性分解が阻害される。
【００３８】
実施例において、高速気流発生装置４を起動し、空気力輸送管９内に接線方向から処理ガスを圧入すると、処理ガスは、外筒１１内を旋回しながら長手方向に送られ、次いでその端部で反転し、内筒１２内へ流入する。内筒１２内では、スクリューガイド１５に誘導されて強力な旋回流を生ずる。
【００３９】
一方、水槽１４内の水をポンプ１６で汲み上げ、ノズル配管１０の各ノズル１７より空気力輸送管（外筒１１）内に生じた気流の旋回流中に噴出させる。空気力輸送管９内に噴出された水は、気体圧力を受け、旋回気流中で分裂し、細かい水滴となり、旋回しながら空気力輸送される。この間、水滴は気流の旋回によって生じた遠心力と、コリオリ力との作用を受け、水滴は高エネルギーが与えられて分裂が進行し、内筒１２内では、さらに強力な遠心力・コリオリ力によって水滴に高エネルギーが与えられて水の構造化が進み、周囲に負イオンを生じる。
【００４０】
内筒１２の管壁には多孔の孔が開口されており、遠心力・コリオリ力によって管壁に押し付けられた水滴が内筒１２内を抜けたときにも外筒１１内の遠心力・コリオリ力によって飛ばされ、水滴には高エネルギーが付与されて構造化が進み、負荷電高湿度活性空気となって、生物処理装置２に供給される。
【００４１】
処理ガス中に含まれた臭気成分の一部は、空気力輸送管９内に生じた微細水滴と撹拌混合されて水滴に捕捉され、遠心力・コリオリ力の作用により外筒の管壁に形成される水膜内にとり込まれて水槽内１４に回収される。
【００４２】
臭気成分を同伴して生物処理装置２に供給された負荷電高湿度活性空気は、脱臭塔８の拡散室２２内に導入され、拡散室２２より処理室２３の各段の充填材１９中を微生物と接触しつつ上昇する間に微生物に分解されて無臭成分となり、臭気ガスは脱臭されて排気口２１より大気中に放散される。
【００４３】
（実施例）以下に本発明の実施例を示す。下記仕様の負荷電高湿度活性空気発生装置３と、生物処理装置２との組合せを用いてし尿処理の消化槽より発する臭気ガスの脱臭を行った。
【００４４】
Ａ．実験条件
１．処理ガス風量：１，８００ｍ３／Ｈｒ
２．負荷電高湿度活性空気発生装置（水吸着処理装置）
（１）空気力輸送管
・外筒：７００φ（半径Ｒ）×１４６０（長さＬ）ｍｍ
・内筒：３１０φ（Ｒ）×１１００（Ｌ）ｍｍ
（２）高速気流発生装置
・動力：３φ×２００Ｖ×５０Ｈｚ×１．７５ＫＷ
・風量：３０ｍ３／ｍｉｎ（１，８００ｍ３／Ｈｒ）
・静圧：１４５ｍｍＡｑ
（３）水槽
・容量：８０リットル
・供給水のｐＨ：６．０〜７．０
（４）ポンプ
・動力：３φ×２００Ｖ×５０Ｈｚ×０．５ＫＷ
・吐出量：７５ｌ／ｍｉｎ
・揚程：１６ｍ
（５）ノズル
・配管：３２φ（Ｒ）×６２０（Ｌ）ｍｍ×４本
・ノズル：３φ（Ｒ）×３６個
0003612782.tif 000005
【００４５】
（４）通気空塔速度  ０．０３１ｍ／ｓ
【００４６】
Ｂ．実験結果
し尿処理の消化槽内に発生した臭気ガスの臭気成分濃度と、処理済のガス中の臭気成分濃度を測定した。測定結果を表４に示す。
【００４７】
【表４】
0003612782.tif 000006
【００４８】
表４のように、処理ガス中のアンモニア，メチルメルカプタン，硫化水素は、処理済ガス中にはいずれも検出されず、排気口から大気中に排気されるガスは、殆ど無臭に近いガスであった。なお、充填材は、処理期間中、含水率は４０〜６０％の範囲内で殆ど変化は認められなかった。
【００４９】
【発明の効果】
以上のように本発明によれば、活性化された微細水滴を含む多湿の負荷電高湿度活性空気を発生させて臭気ガスの生物処理を行うものであり、好気性微生物の活動に必要な空気と水は、負荷電高湿度活性空気の供給によって十分に確保されるため、従来のように脱臭用微生物を担持させた充填材上に散水を行う必要がない。
【００５０】
また、負荷電高湿度活性空気は、臭気成分を含む処理ガス中に水を噴射して発生させるため、処理ガス中に含まれた一部の臭気成分は発生した微細水滴に捕捉され、その凝集水にとり込んで系外に排出することができ、生物処理における脱臭処理の負担を軽減でき、ひいては脱臭効率を高めることができる。
【００５１】
さらに、気体の旋回流中で水を分裂させて微細水滴を発生させるため、気体の旋回運動による遠心力とコリオリ力とを有効に作用させることができ、水滴は、その分裂により負イオンを発生させるとともに気体の強力な運動エネルギーを獲得して活性化され、臭気成分の捕捉効率を高め、また構造化が進み、生物処理の際には、充填材に付着してその保水性を高め、また、水の分裂によって発生した負イオンを好気性微生物に供給することによって、好気性微生物の活動に活性を与えることができる。
【００５２】
本発明装置によれば、実質的に水吸着処理と、生物処理との二段階処理が行われることになり、水吸着処理で水中にとり込まれた臭気成分は、基本的に系外に排出して別途コンポスト化などの処理によって資化するが、一部は、水槽内から再びポンプで汲み上げて空気力輸送管内へ噴出して循環させることにより、生物処理装置に空気力輸送して脱臭塔内で処理することができる。
【図面の簡単な説明】
【図１】水を旋回気流中で人工的に微細水滴に分裂させて得られた多湿空気の水クラスターの質量スペクトラムを示す図である。
【図２】大気中の水クラスターの質量スペクトラムを示す図である。
【図３】本発明装置の一実施例を示す図である。
【図４】スクリューガイドの配置例を示す図である。
【符号の説明】
１  水吸着装置
２  生物処理装置
３  負荷電高湿度活性空気発生装置
４  高速気流発生装置
５  吸気口
６  吸液口
７  送気口
８  脱臭塔
９  空気力輸送管
１０  ノズル配管
１１  外筒
１２  内筒
１３  折返し流路
１４  水槽
１５  スクリューガイド
１６  ポンプ
１７  ノズル
１８  消化槽
１９  充填材
２０  吹込口
２１  排気口
２２  拡散室
２３  処理室
【図１】
0003612782.tif 000007
【図２】
0003612782.tif 000008
【図３】
0003612782.tif 000009
【図４】
0003612782.tif 000010